(57)【要約】【課題】風呂の浴槽の底に配置した複数の膨縮袋体を交互に膨縮させることで、浴槽内の例えば米糠、大鋸屑、枯れ草菌、水及び栄養分などの酵素混合剤の一部を交互に押し上げながら撹拌することで、酵素混合剤の内部に空気を自動的に混入することのできる酵素を利用した健康風呂用空気混入装置を提供することにある。【解決手段】酵素混合剤ａが入れられる浴槽１の底に、複数の膨縮袋体２を配置し、各膨縮袋体２に、空気供給装置３に接続された供給ホース３１と空気排出装置４に接続された排出ホース４１とを接続し、各空気供給装置３と各空気排出装置４とを交互に作動させて各膨縮袋体２を交互に膨縮させ、浴槽１内の酵素混合剤ａの一部を交互に押し上げながら撹拌して酵素混合剤ａの内部に空気を混入させる。【選択図】図１
2007222280.tif 000002
【特許請求の範囲】
【請求項１】
酵素混合剤が入れられる浴槽の底に、複数の膨縮袋体を配置し、各膨縮袋体に、空気供給装置に接続された供給ホースと空気排出装置に接続された排出ホースとを接続し、各空気供給装置と各空気排出装置とを交互に作動させて各膨縮袋体を交互に膨縮させ、浴槽内の酵素混合剤の一部を交互に押し上げながら撹拌して酵素混合剤の内部に空気を混入させることを特徴とする酵素を利用した健康風呂用空気混入装置。
【発明の詳細な説明】
【技術分野】
【０００１】
この発明は、例えば米糠、大鋸屑、枯れ草菌、水及び栄養分などを混在させた酵素を利用した健康風呂に係り、特に、酵素風呂を構成するこれらの酵素混合剤中に定期的に空気を自動的に混入させる酵素を利用した健康風呂用空気混入装置に関するものである。
【背景技術】
【０００２】
最近、例えば米糠、大鋸屑、枯れ草菌、水及び栄養分などを混在させた酵素を利用した健康風呂が知られている。この種の健康風呂では、菌の活性化を維持させるために、空気を定期的に混入させる必要がある。入浴者は、酵素風呂を構成するこれらの例えば米糠、大鋸屑、枯れ草菌、水及び栄養分などの酵素混合剤の中に顔以外の部分を横たわって入れて埋没し、酵素混合剤から出る各種の酵素の働きによって体内の老廃物を排出しながら活性化を促進させて、健康を向上させる。
【発明の開示】
【発明が解決しようとする課題】
【０００３】
前記したように、酵素を利用した健康風呂では、酵素混合剤の各種の菌を維持・活性化させるためには定期的に空気を供給する必要があるが、営業中には健康風呂の浴槽中にはお客が入っているため、この作業は営業外の時間帯に行われる。
酵素混合剤の中に空気を供給する場合、人力で行う場合にはその表面を掘り返しながら耕すようにしてその内部に空気を混入させている。人力で行う場合には人件費が必要であり、しかもその作業は営業が終わった深夜が多く、その分、人件費も割高にならざるを得ない。
人力に代えて自動化した装置としては、回転軸に耕す刃を付けた装置を風呂の浴槽一端側から他端側に向かって往復移動させて、往復移動中に回転軸の耕す刃が酵素混合剤を耕してその内部に空気を送り込む装置がある。この装置は、不使用時には風呂の一端側に停止状態で置かれている。
このため、健康風呂に入浴中に誤って停止中のこの装置の耕す刃の一部で怪我をすることもあり、また、誤操作により装置が作動して、回転する耕す刃で入浴者が怪我することも考えられ、危険であった。
【０００４】
この発明は、上記のような課題に鑑み、その課題を解決すべく創案されたものであって、その目的とするところは、風呂の浴槽の底に配置した複数の膨縮袋体を交互に膨縮させることで、浴槽内の例えば米糠、大鋸屑、枯れ草菌、水及び栄養分などの酵素混合剤の一部を交互に押し上げながら撹拌することで、酵素混合剤の内部に空気を自動的に混入することのできる酵素を利用した健康風呂用空気混入装置を提供することにある。
【課題を解決するための手段】
【０００５】
以上の目的を達成するために、この発明は、酵素混合剤が入れられる浴槽の底に、複数の膨縮袋体を配置し、各膨縮袋体に、空気供給装置に接続された供給ホースと空気排出装置に接続された排出ホースとを接続し、各空気供給装置と各空気排出装置とを交互に作動させて各膨縮袋体を交互に膨縮させ、浴槽内の酵素混合剤の一部を交互に押し上げながら撹拌して酵素混合剤の内部に空気を混入させる手段よりなるものである。
【発明の効果】
【０００６】
以上の記載より明らかなように、この発明に係る酵素を利用した健康風呂用空気混入装置によれば、酵素混合剤が入れられる浴槽の底に、複数の膨縮袋体を配置し、各膨縮袋体に、空気供給装置に接続された供給ホースと空気排出装置に接続された排出ホースとを接続し、各空気供給装置と各空気排出装置とを交互に作動させて各膨縮袋体を交互に膨縮させることにより、浴槽内の酵素混合剤の一部を交互に押し上げることができ、酵素混合剤の一部を交互に押し上げることにより、押し上げられた内部側の酵素混合剤がその表面側に現れることで空気と接触でき、また、押し上げられた酵素混合剤が沈む際に空隙ができその空隙を利用してその内部に空気を取り込みながら沈み込むことで、空気がその内部に混入される。このように、浴槽内の底部の膨縮袋体が交互に浴槽の底で膨縮を繰り返すことで、浴槽内の酵素混合剤は撹拌されて酵素混合剤の内部に空気を混入させることができる。しかも、これを自動的に且つ安全に行うことができる等、極めて新規的有益なる効果を奏するものである。
【発明を実施するための最良の形態】
【０００７】
以下、図面に記載の発明を実施するための最良の形態に基づいて、この発明をより具体的に説明する。
ここで、図１は概略構成図、図２は浴槽内での膨縮袋体の膨張時の断面図、図３（Ａ）〜（Ｄ）は各膨縮袋体の膨張時の外形の斜視図。
【０００８】
図において、酵素混合剤ａが入れられる浴槽１は例えば正方形又は長方形の外形をしており、浴槽１の長さや幅は一度に入る入浴者の数の多少によって種々の広さになっている。また浴槽１は高さ１ｍ前後あり、その中に酵素混合剤ａは例えば６０ｃｍ前後の高さで入れられている。浴槽１には不使用時などには必要に応じてその開口する上面には蓋１ａが取り付けられる。
【０００９】
この浴槽１に入れられる酵素混合剤ａは、前記したように、米糠、大鋸屑、枯れ草菌、水及び栄養分などを適当な割合で混合したものからなる。この酵素混合剤ａに含まれる菌は好気性菌で、空気中の酸素を必要とする。このため、定期的に空気をその内部に供給し続ける必要がある。酵素混合剤ａは、それに含まれる菌と空気中の酸素とが反応して発酵して発熱し、この熱を利用して入浴者の体を温めて、その発汗作用によって、体内の毒素などを体外に排出させて、健康の増進を図るものである。
【００１０】
浴槽１の底部には、複数の膨縮袋体２が配置されている。浴槽１の広さによって底部に配置される膨縮袋体２の個数は異なり、少ない場合には例えば３個、多い場合に例えば左右３個ずつの合計６個配置されることもあり、浴槽１がかなり広い場合には６個以上配置されることもある。
【００１１】
また、使用される各膨縮袋体２の大きさも異なる。サイズが大きい膨縮袋体２の場合には、膨張時の酵素混合剤ａを押し上げる量が多くなるため、膨縮袋体２には強い膨張力が要求されることになり、その袋の材質も強度の高いものが要求されて、コスト高になるが、多量の酵素混合剤ａを一度に撹拌できる利点はある。
【００１２】
さらに、各膨縮袋体２の膨張時の形状も種々のものが使用可能である。膨縮袋体２の膨張時の形状としては、例えば、かまぼこ形、三角柱を横に倒した横置三角柱型、円錐型、角錐型、半円球型などが考えられる。
【００１３】
膨縮袋体２は、空気が圧入されることにより膨張して膨らみ、空気を吸い出すことで縮小し、その膨張時には膨縮袋体２の上側にのっている酵素混合剤ａを押し上げて、膨張時の形状によって前後、左右、或いはその全周回りに押し上げた酵素混合剤ａを振り分けるようにして撹拌する。そして、その間に生じる酵素混合剤ａの空隙部分からその内部に空気が供給され、また、内部の酵素混合剤ａが押し上げられて表面に出ることにより、空気と接触して空気が供給されることになる。
【００１４】
各膨縮袋体２には、膨縮袋体２の内部に空気を圧入して供給するために空気供給装置３に一端が接続された供給ホース３１の他端が接続されている。同様に、各膨縮袋体２には、膨縮袋体２の内部から空気を吸い出して排出するために空気排出装置４に一端が接続された排出ホース４１の他端が接続されている。空気供給装置３や空気排出装置４には例えば市販のコンプレッサーが使用される。
【００１５】
また、複数の膨縮袋体２を交互に膨縮させるために、制御装置５が設けられる。制御装置５は、複数の膨縮袋体２の各空気供給装置３と空気排出装置４とを制御して、各膨縮袋体２が交互に膨縮するように制御する。
【００１６】
必要に応じて、空気供給装置３と空気排出装置４の双方を兼ねる空気給排出装置が使用されることもある。この場合には、供給ホース３１と排出ホース４１もその双方を兼ねる給排出ホースが使用される。この場合には、装置の部品数が少なくなり、その取り扱いが容易となるが、供給と排出の切り替え制御が必要となり、装置が複雑になる。
【００１７】
また、必要に応じて、複数の膨縮袋体２に対して、１基の空気供給装置３と１基の排出ホース４１とが使用されることもある。この場合には、複数の膨縮袋体２からそれぞれ１基の空気供給装置３に対して複数の供給ホース３１が並列状に接続される。同様に、複数の膨縮袋体２からそれぞれ１基の空気排出装置４に対して複数の排出ホース４１が並列状に接続される。
【００１８】
そして、並列に接続される複数の供給ホース３１及び排出ホース４１にはそれぞれ切り替えバルブなどが取り付けられて使用されることもある。この場合には、空気供給装置３及び空気排出装置４はそれぞれ１基でよく、装置の部品数を少なくなるが、各切り替えバルブの切り替え制御が必要になり、装置が複雑になる。
【００１９】
次に、上記発明を実施するための最良の形態の構成に基づく動作について以下説明する。
営業が終わり、浴槽１内の酵素混合剤ａに空気を混入する場合には、浴槽１の開口する上面に蓋１ａを取り付けて、酵素混合剤ａが入った浴槽１の開口する上面を塞ぐ。蓋１ａを取り付けることにより、装置を使って浴槽１内の酵素混合剤ａを撹拌する際に酵素混合剤ａの一部が浴槽１の外に漏れるのを防ぎ、また、膨縮袋体２の膨張により押し上げられた酵素混合剤ａが蓋１ａに当たることにより両側に分かれて、撹拌が促進される。さらに、蓋１ａにより、浴槽１の内部を保温できる利点もある。
【００２０】
そして、制御装置５を作動させると、制御装置５は第１番目の膨縮袋体２に空気を供給する空気供給装置３を作動させる。空気供給装置３が作動すると、空気供給装置３は外部の空気を吸引して供給ホース３１に送り込む。供給ホース３１に送り込まれた空気は圧送されて第１番目の膨縮袋体２の内部に流入して、浴槽１の底面に縮小していた膨縮袋体２を膨張させる。
【００２１】
膨縮袋体２が膨張し始めると、膨縮袋体２の上側に積まれて酵素混合剤ａは膨張する膨縮袋体２によって徐々に押し上げられる。膨張する膨縮袋体２の形状によって、押し上げられる酵素混合剤ａのその周辺への移動状態は異なる。例えば、かまぼこ型或いは横置三角柱型の場合には、押し上げられる酵素混合剤ａの表面側はその中央を境にしてその両側に次第に分かれ出して、内部側の酵素混合剤ａが常に表面側に出てくる。このように、表面に出てきた内部の酵素混合剤ａは、表面に出ることで空気に接触して空気が供給されることになる。
【００２２】
また、表面側から徐々に左右に分かれた酵素混合剤ａはその内部側に没入する際に、空隙などが生じて、その空隙を通じて酵素混合剤ａの内部がわにも空気が供給されることになる。このようにして、第１番目の膨縮袋体２が最大の大きさに膨張して、その上側の酵素混合剤ａを両側に押し分けて内部の酵素混合剤ａに空気を供給する。
【００２３】
そして、第１番目の膨縮袋体２が最大の大きさに膨張すると、制御装置５は、第１番目の膨縮袋体２の空気供給装置３の作動を停止させ、空気排出装置４を作動させて、第１番目の膨縮袋体２から空気を吸い出す動作に切り替える。膨張していた膨縮袋体２は縮小し始める。膨縮袋体２が縮小を始めると、膨縮袋体２の上側で両側にわかれていた酵素混合剤ａはその中央側に集まり始め、周囲の膨縮袋体２が中央に集まることにより中央部分の酵素混合剤ａは内部側に押し込まれるようになる。そして、膨縮袋体２の内部の空気が吸い出されると、制御装置５は空気排出装置４を停止させる。
【００２４】
続いて、制御装置５は、第１番目の膨縮袋体２の空気排出装置４の停止に相前後して、第２番目の膨縮袋体２に空気を供給する空気供給装置３を作動させて、第２番目の膨縮袋体２を膨張させる。
【００２５】
以下、同様な動作を繰り返して、複数の各膨縮袋体２を交互に膨縮させることで、浴槽１内の酵素混合剤ａは適度に撹拌されながら、酵素混合剤ａの内部には空気が供給されることになる。この供給された空気によって酵素混合剤ａに含まれる好気性菌は活性化されて、酵素混合剤ａが入れられた酵素を利用した健康風呂の効能を維持しまた高める。
【００２６】
また、この場合において、浴槽１の底に例えば、左右にそれぞれ３個ずつ合計６個の膨縮袋体２を配置し、１個ずつ順番に右回り或いは左回りに膨縮袋体２を膨縮させる場合には、浴槽１内の酵素混合剤ａを浴槽１内を循環させることができ、浴槽１内の酵素混合剤ａに含まれる菌を浴槽１内に均一に分布させることも可能となる。
【００２７】
なお、この発明は上記発明を実施するための最良の形態に限定されるものではなく、この発明の精神を逸脱しない範囲で種々の改変をなし得ることは勿論である。
【図面の簡単な説明】
【００２８】
【図１】この発明を実施するための最良の形態を示す概略構成図である。
【図２】この発明を実施するための最良の形態を示す浴槽内での膨縮袋体の膨張時の断面図である。
【図３】（Ａ）〜（Ｄ）はこの発明を実施するための最良の形態を示す膨縮袋体の膨張時の各外形の斜視図である。
【符号の説明】
【００２９】
１    浴槽
１ａ  蓋
２    膨縮袋体
３    空気供給装置
３１    供給ホース
４    空気排出装置
４１    排出ホース
５    制御装置
【図１】
2007222280.tif 000003
【図２】
2007222280.tif 000004
【図３】
2007222280.tif 000005